(57)【要約】【課題】安価で信頼性の高い部品で構成でき、製品寿命を長くするとともにコストを低減することができる漏電遮断器を提供する。【解決手段】漏電検出回路５に電源を供給する電源回路８を、３相３線式電路Ｒ，Ｓ，Ｔの各相に抵抗器１３とコンデンサ１４と抵抗器１５を順に直列接続して成る電流制限回路９と、電流制限回路９の出力端子に接続される第２のダイオードブリッジ１０と、第２のダイオードブリッジ１０の出力端子間に並列に接続される平滑コンデンサ１１及び定電圧ダイオード１２とで構成した。【選択図】図１
2006107737.tif 000002
【特許請求の範囲】
【請求項１】
３相３線式電路の何れか１相が欠相した場合でも前記電路を遮断するための引外しコイルが駆動するように各相に接続したダイオードブリッジの出力に前記引外しコイルを接続し、３相３線式電路に流れる漏洩電流を零相変流器が検出し、前記零相変流器の出力電流が所定値を越えた場合に漏電検出回路が信号を出力してスイッチング素子をオンし、前記引外しコイルを駆動させて前記電路を遮断する漏電遮断器において、前記漏電検出回路に電源を供給する電源回路は、前記３相３線式電路の各相に抵抗器とコンデンサと抵抗器を順に直列接続して成る電流制限回路と、該電流制限回路の出力端子に接続される第２のダイオードブリッジと、該第２のダイオードブリッジの出力端子間に並列に接続される平滑コンデンサ及び定電圧ダイオードとで構成したことを特徴とする漏電遮断器。
【発明の詳細な説明】
【技術分野】
【０００１】
本発明は、漏電検出回路に電源を供給するための回路に関する。
【背景技術】
【０００２】
図２に示すように３相３線式電路Ｒ，Ｓ，Ｔの何れか１相が欠相した場合でも漏電検出時に電路を遮断するようにした漏電遮断器２１は、各相にダイオードブリッジ２２の入力端子を接続し、ダイオードブリッジ２２の正極出力端子に引外しコイル２３の一端を接続し、他端をサイリスタ２４を介してダイオードブリッジ２２の負極出力端子に接続している。サイリスタ２４のゲートは漏電検出回路２５に接続されており、３相３線式電路Ｒ，Ｓ，Ｔに流れる電流を零相変流器２６が検出し、零相変流器２６の出力電流が所定値を越えた場合に漏電検出回路２５が信号を出力してサイリスタ２４をオンし、引外しコイル２３を駆動させて主接点２７をオフし、電路Ｒ，Ｓ，Ｔを遮断するようになっている。この漏電遮断器２１の漏電検出回路２５で使用される電源は１２Ｖ程度の直流電源であり、３相３線式電路であるので５０Ｖ〜４００Ｖ程度の交流電源を電源回路によって１２Ｖ程度の直流電源に変換している。電源回路２８はダイオードブリッジ２２の正極出力端子に複数個直列接続された抵抗器２９と、ダイオードブリッジ２２の出力端子間に並列に接続された平滑コンデンサ３１と定電圧ダイオード３２とで構成されている。この電源回路２８では複数の抵抗器２９によって電流値を低減するようになっているが、発熱量が多く、他の電子部品を劣化させてしまう問題があり、また、動作可能電圧が狭いという問題があった。そこでこれらの問題を解決して電源の電流値を低減する方法としては、例えば、特許文献１に記載のものがある。この漏電遮断器は電路に接続されたダイオードブリッジ（４）の出力端子間に平滑コンデンサ（５）を並列に接続し、そしてダイオードブリッジ（４）の正極出力端子に定電流ダイオード（７）と定電圧ダイオード（６）の並列回路を接続して漏電検出回路（２）に接続し、電源を供給するようになっている。
【０００３】
【特許文献１】特開平５−１７４６９７号公報（第１図）
【発明の開示】
【発明が解決しようとする課題】
【０００４】
しかしながら、従来の電源回路に定電流ダイオードを使用した漏電遮断器は、定電流ダイオードを使用しているために信頼性が低く、寿命が短い虞があるとともにコストが非常にかかるという欠点があった。
【課題を解決するための手段】
【０００５】
本発明は、３相３線式電路の何れか１相が欠相した場合でも電路を遮断するための引外しコイルが駆動するように各相に接続したダイオードブリッジの出力に引外しコイルを接続し、３相３線式電路に流れる漏洩電流を零相変流器が検出し、零相変流器の出力電流が所定値を越えた場合に漏電検出回路が信号を出力してスイッチング素子をオンし、引外しコイルを駆動させて電路を遮断する漏電遮断器において、漏電検出回路に電源を供給する電源回路は、３相３線式電路の各相に抵抗器とコンデンサと抵抗器を順に直列接続して成る電流制限回路と、電流制限回路の出力端子に接続される第２のダイオードブリッジと、第２のダイオードブリッジの出力端子間に並列に接続される平滑コンデンサ及び定電圧ダイオードとで構成したことを特徴とする。
【発明の効果】
【０００６】
本発明によれば、安価で信頼性の高い部品で構成でき、製品寿命を長くするとともにコストを低減することができるという効果がある。
【発明を実施するための最良の形態】
【０００７】
漏電検出回路に電源を供給する電源回路を、３相３線式電路の各相に抵抗器とコンデンサと抵抗器を順に直列接続して成る電流制限回路と、電流制限回路の出力端子に接続される第２のダイオードブリッジと、第２のダイオードブリッジの出力端子間に並列に接続される平滑コンデンサ及び定電圧ダイオードとで構成した。
【実施例１】
【０００８】
本発明に係る漏電遮断器の実施例１を図１の添付図面に基づいて説明する。
【０００９】
３相３線式電路Ｒ，Ｓ，Ｔに取り付けられる漏電遮断器１は、各相Ｒ，Ｓ，Ｔにダイオードブリッジ２の入力端子を接続し、ダイオードブリッジ２の正極出力端子に引外しコイル３の一端を接続し、他端をサイリスタ４を介してダイオードブリッジ２の負極出力端子に接続し、サイリスタ４のゲートは漏電検出回路５に接続されており、３相３線式電路Ｒ，Ｓ，Ｔに流れる電流を零相変流器６が検出し、零相変流器６の出力電流が所定値を越えた場合に漏電検出回路５が信号を出力してサイリスタ４をオンし、引外しコイル３を駆動させて主接点７をオフし、電路Ｒ，Ｓ，Ｔを遮断するようになっている。
【００１０】
この漏電遮断器１において、漏電検出回路５に電源を供給するための電源回路８は、電流制限回路９と第２のダイオードブリッジ１０と平滑コンデンサ１１と定電圧ダイオード１２とで構成している。電流制限回路９は抵抗器１３とコンデンサ１４と抵抗器１５を順に直列接続して成り、電流制限回路９の入力端子は３相３線式電路Ｒ，Ｓ，Ｔの各相に接続され、出力端子は第２のダイオードブリッジ１０の入力端子に接続されている。そして、第２のダイオードブリッジ１０の出力端子間には並列に平滑コンデンサ１１と定電圧ダイオード１２が接続されている。
【００１１】
このように構成された電源回路８は、電流制限回路９により５０Ｖ〜４００Ｖの幅広い入力電圧を降圧して出力し、第２のダイオードブリッジ１０により交流波形を全波整流し、平滑コンデンサ１１により直流波形に変換して定電圧ダイオード１２により漏電検出回路５の駆動電圧にしている。
【００１２】
３相のうち何れか１相が欠相した場合でも第２のダイオードブリッジ１０によって残りの２相を整流し、平滑コンデンサ１１と定電圧ダイオード１２を介して漏電検出回路５に直流電源を供給するので漏電検出回路５は停止することがなく、また、引外しコイル３もダイオードブリッジ２によって残りの２相から電流が流れて励磁し遮断動作することができる。
【００１３】
電流制限回路９は各相２個の抵抗器と１個のコンデンサとで構成しているので安価で信頼性が高くて部品の寿命が長く、ほとんど発熱することがない。
【図面の簡単な説明】
【００１４】
【図１】本発明に係る漏電遮断器の回路図である。
【図２】従来の漏電遮断器の回路図である。
【符号の説明】
【００１５】
１    漏電遮断器
２    ダイオードブリッジ
３    引外しコイル
４    サイリスタ
５    漏電検出回路
６    零相変流器
７    主接点
８    電源回路
９    電流制限回路
１０    第２のダイオードブリッジ
１１    平滑コンデンサ
１２    定電圧ダイオード
１３    抵抗器
１４    コンデンサ
１５    抵抗器
【図１】
2006107737.tif 000003
【図２】
2006107737.tif 000004